(57)【特許請求の範囲】
【請求項１】
アンテナと、
前記アンテナに接続され、キャパシタンスまたはインダクタンスが制御可能な整合回路と、
撮像部と、
前記撮像部により撮影された画像によって、使用形態を判別し、前記使用形態に応じた接近態様に応じて前記整合回路のキャパシタンスまたはインダクタンスを制御する制御部と、を備え、
前記制御部は、前記撮像部により撮影された画像から人体の部位を検知し、この検知した部位から第１の使用形態か第２の使用形態かを判断し、前記第１の使用形態に対応する人体の部位を検知した場合、前記検知した部位に基づいて接近態様を判別し、前記第２の使用形態に対応する人体の上半身を検知した場合、前記検知した上半身の傾き角度に基づいて接近態様を判別することを特徴とする移動通信装置。
【請求項２】
筐体に配置された複数のアンテナと、
人体の部位を示す画像情報を記録する記録部と、
カメラと、
前記カメラの撮影画像と前記記録部に記録されている前記画像情報とのパターンマッチングによって、使用形態を判別し、前記使用形態に応じた接近態様に応じて前記複数のアンテナのうちのいずれかを選択する制御部と、を備え、
前記制御部は、前記カメラの撮影画像と前記記録部に記録されている前記画像情報とのパターンマッチングにより人体の部位を検知し、この検知した部位から第１の使用形態か第２の使用形態かを判断し、前記第１の使用形態に対応する人体の部位を検知した場合、前記検知した部位に基づいて接近態様を判別し、前記第２の使用形態に対応する人体の上半身を検知した場合、前記検知した上半身の傾き角度に基づいて接近態様を判別することを特徴とする移動通信装置。
【請求項３】
さらに、アンテナ指向性やマッチング設定を完了したことを示す情報を基地局に通知する通信部と、
を備える請求項２に記載の移動通信装置。
【請求項４】
カメラと、人体の部位を示す画像情報を記録する記録部とを含む移動通信装置に設置されるアンテナ装置であって、
キャパシタンスまたはインダクタンスが可変される可変デバイスを含む整合回路と、
前記カメラの撮影画像と前記記録部にある前記画像情報とのパターンマッチングによって、使用形態を判別し、前記使用形態に応じた接近態様に応じてキャパシタンスまたはインダクタンスの最適値を前記可変デバイスに設定する制御部と、を備え、
前記制御部は、前記カメラの撮影画像と前記記録部に記録されている前記画像情報とのパターンマッチングにより人体の部位を検知し、この検知した部位から第１の使用形態か第２の使用形態かを判断し、前記第１の使用形態に対応する人体の部位を検知した場合、前記検知した部位に基づいて接近態様を判別し、前記第２の使用形態に対応する人体の上半身を検知した場合、前記検知した上半身の傾き角度に基づいて接近態様を判別することを特徴とするアンテナ装置。
【請求項５】
カメラと、人体の部位を示す画像情報を記録する記録部とを含む移動通信装置に設置されるアンテナ装置であって、
筐体に設置された複数のアンテナと、
前記カメラの撮影画像と前記記録部に記録されている前記画像情報とのパターンマッチングによって、使用形態を判別し、前記使用形態に応じた接近態様に応じて前記複数のアンテナからいずれかを選択する制御部と、を備え、
前記制御部は、前記カメラの撮影画像と前記記録部に記録されている前記画像情報とのパターンマッチングにより人体の部位を検知し、この検知した部位から第１の使用形態か第２の使用形態かを判断し、前記第１の使用形態に対応する人体の部位を検知した場合、前記検知した部位に基づいて接近態様を判別し、前記第２の使用形態に対応する人体の上半身を検知した場合、前記検知した上半身の傾き角度に基づいて接近態様を判別することを特徴とするアンテナ装置。
【請求項６】
キャパシタンスまたはインダクタンスが可変される可変デバイスを含む整合回路に接続されたアンテナを搭載した移動通信装置のアンテナ制御方法であって、
人体の部位を示す画像情報を記録部に記録し、
人体をカメラにより撮影し、
前記カメラの撮影画像と前記記録部にある前記画像情報とのパターンマッチングにより人体の部位を検知し、この検知した部位から第１の使用形態か第２の使用形態かを判断し、前記第１の使用形態に対応する人体の部位を検知した場合、前記検知した部位に基づいて接近態様を判別し、前記第２の使用形態に対応する人体の上半身を検知した場合、前記検知した上半身の傾き角度に基づいて接近態様を判別し、判別した接近態様に応じたキャパシタンスまたはインダクタンスの最適値を前記可変デバイスに設定する、
移動通信装置のアンテナ制御方法。
【請求項７】
キャパシタンスまたはインダクタンスが可変される可変デバイスを含む整合回路に接続されたアンテナを搭載した移動通信装置のアンテナ制御方法であって、
人体の部位を示す画像情報を記録部に記録し、
人体をカメラにより撮影し、
前記カメラの撮影画像と前記記録部にある前記画像情報とのパターンマッチングにより人体の部位を検知し、この検知した部位から第１の使用形態か第２の使用形態かを判断し、前記第１の使用形態に対応する人体の部位を検知した場合、前記検知した部位に基づいて接近態様を判別し、前記第２の使用形態に対応する人体の上半身を検知した場合、前記検知した上半身の傾き角度に基づいて接近態様を判別し、判別した接近態様に応じて複数のアンテナのうちのいずれかを選択する、
アンテナ制御方法。
【請求項８】
さらに、アンテナ指向性やマッチング設定を完了したことを示す情報を基地局に通知する、
基地局は、該通知を受信する請求項６または７に記載のアンテナ制御方法。
【発明の詳細な説明】
【技術分野】
【０００１】
本発明はたとえば、携帯端末装置など、アンテナが搭載された移動通信装置、そのアンテナ装置およびアンテナ制御方法に関する。
【背景技術】
【０００２】
携帯端末装置など、アンテナを搭載した移動通信装置ではアンテナによって無線信号の送受信が行われる。アンテナの利得は近接する物体の影響を受け、移動通信装置を使用するユーザの人体によって変化する。この利得変化は送信電力や、受信電波の受信感度に影響を与える。アンテナからの放射電波は人体に吸収される。この人体の影響に関し、携帯電話機では防護規格（ＳＡＲ：Specific Absorption Rate）を満たすことが要求されている。日本においては無線設備規則第１４条の２で規定されているものであり、米国では連邦通信委員会（ＦＣＣ：Federal Communication Commission）で同様に規定されている。なお、この値は世界保健機構（ＷＨＯ：World Health Organization）や国際非電離放射線防護委員会（ＩＣＮＩＲＰ：International Commission on Non-Ionizing Radiation Protection）等で策定されて基準値を満たすものである。
【０００３】
アンテナに関し、人体の接近によるアンテナの反射を検出し、アンテナの整合回路を調整し、インピーダンスを最適化することが知られている（たとえば、特許文献１）。筐体やアンテナ素子の形態変化を検出し、最適なアンテナ特性値に制御することが知られている（たとえば、特許文献２）。カメラにより検出したオペレータ画像と基本画像とを比較して状態を判断することが知られている（たとえば、特許文献３）。カメラの近傍に配置された二軸ヒンジ部のヒンジ金具を用いてダイポールアンテナに給電することが知られている（たとえば、特許文献４）。
【先行技術文献】
【特許文献】
【０００４】
【特許文献１】特開２００３−１７４３６７号公報
【特許文献２】特開２００６−２２９３３３号公報
【特許文献３】特開２００４−３４８４２９号公報
【特許文献４】特開２００５−３３３３２３号公報
【発明の概要】
【発明が解決しようとする課題】
【０００５】
ところで、移動通信装置の一例である携帯端末装置の使用形態にはたとえば、自由空間時（待ち受け時）、ハンドポジション時（メールなどのデータ通信時）、ヘッドポジション時（通話時）が想定される。自由空間時は、机上などに携帯端末装置が放置された状態である。ハンドポジション時は、携帯端末装置を使用者が面前などに保持した状態である。ヘッドポジション時は、携帯端末装置を頭部に当てて通話している状態である。このヘッドポジション時を最適状態に設定したとすれば、ヘッドポジション時、自由空間時およびハンドポジション時の放射パターン、アンテナ放射効率およびアンテナインピーダンスは次のようになる。
【０００６】
ヘッドポジション時では図３１のＡに示すように、携帯端末装置２００に人体２０２の頭部が接近する。携帯端末装置２００には、その筐体２０４の短辺側にアンテナ２０６が内蔵されている。アンテナ２０６の放射パターン２０８−１はアンテナ２０６を中心に生じる。この放射パターン２０８−１は、人体２０２の頭部に掛かっている。このため、アンテナ２０６から放射した電波は人体２０２に吸収される。アンテナ２０６に対し、人体２０２が誘電体として作用する。
【０００７】
ヘッドポジション時では、係る状態を踏まえることにより、図３１のＢに示すように、通信周波数ｆｏにアンテナ２０６の共振周波数を一致させている。この場合、図３１のＣのスミスチャートに示すように、アンテナインピーダンスは最適化されている。つまり、通話時では、アンテナ放射効率が高く、良好な通信特性が得られる。
【０００８】
これに対し、自由空間時には図３２のＡに示すように、携帯端末装置２００がテーブル２１０の上に放置された状態である。この場合、アンテナ２０６を中心に放射パターン２０８−２が生じる。テーブル２１０は、アンテナ２０６に対して誘電体として作用する。このため、図３２のＢに示すように、アンテナ２０６の共振点周波数ｆ1 は通信周波数ｆｏより高域側にシフトし、アンテナ放射効率に変化を生じている。つまり、共振点にずれが生じ、アンテナ放射効率が低下する。また、アンテナ２０６には図３２のＣのスミスチャートに示すように、アンテナインピーダンスが変化しインピーダンスマッチングのずれが発生している。これにより、更にアンテナ放射効率が劣化する。
【０００９】
また、ハンドポジション時では、図３３のＡに示すように、手２１２に携帯端末装置２００が把持され、人体２０２が携帯端末装置２００に近接している。アンテナ２０６を中心にして生じた放射パターン２０８−３は、人体２０２の手２１２や胸部に掛かっている。このため、アンテナ２０６から放射した電波は人体２０２に吸収される。ハンドポジション時、アンテナ２０６に対し、人体２０２が誘電体として作用する。このため、図３３のＢに示すように、アンテナ２０６の共振点周波数ｆ2 が通信周波数ｆｏより低域側にシフトし、アンテナ放射効率に変化を生じている。つまり、共振点のずれが低域側に生じ、アンテナ放射効率が低下している。また、アンテナ２０６には図３３のＣのスミスチャートに示すように、アンテナインピーダンスのずれによるミスマッチが発生している。つまり、メール送受などのデータ通信時、アンテナインピーダンスがずれ、ミスマッチとなる。
【００１０】
このように受信待受け時、通話時、メール送受信時などの端末の使用形態により、アンテナの放射効率などが変化する。アンテナの通信機能からすれば、いずれの使用状態にあっても、アンテナの利得、放射効率、ＳＡＲ特性など、各種性能が最適な状態に維持されるべきである。
【００１１】
アンテナに対して人体などの誘電体が接近すると、アンテナ性能に影響を及ぼし、アンテナのインピーダンス特性が大きく変化する。使用頻度などから通話時を想定してマッチングさせたアンテナ接続回路では、使用状態によってアンテナインピーダンスがミスマッチ状態となる。インピーダンスにミスマッチを生じると、定在波を生じ、アンテナ損失の増大、アンテナ放射効率やアンテナ利得の低下など、アンテナ性能が劣化する。性能劣化は、送信電力や受信感度を低下させるという課題がある。
【００１２】
アンテナに接近する物体を電気的に検出し、その検出結果によってアンテナのインピーダンスを調整しても、接近する物体によってはアンテナ整合が得られないという課題がある。既述のように、通話時の人体の接近状態を想定したインピーダンスマッチングを行えば、通話時には最適状態となっても、待ち受け時やメールなどのデータ通信時など、通話時以外ではミスマッチ状態となってしまうという課題がある。
【００１３】
スマートフォンやタブレット端末などの移動通信装置の使用形態には上下左右の区別がない。また、タッチパネル操作を伴うため、使用形態によってアンテナ位置は一様ではなく変化することになる。アンテナは筐体内に設置されており、その位置をユーザが認識できない。仮にアンテナ位置を示唆し得ても、最適方向にアンテナ位置を維持することは困難である。このため、移動通信装置の使用形態によってはアンテナ整合が取れないという課題がある。
【００１４】
そこで、本開示の構成は、上記課題に鑑み、人体との接近状態に応じてアンテナ整合を可能にすることを目的とする。
【課題を解決するための手段】
【００１５】
本開示の構成は、アンテナが搭載された移動通信装置に関し、アンテナに整合回路が接続されている。整合回路は、キャパシタンスまたはインダクタンスが制御可能である。撮像部では操作中の人体などが撮影される。制御部は、撮像部により撮影された画像によって、使用形態を判別し、使用形態に応じた接近態様に応じて前記整合回路のキャパシタンスまたはインダクタンスを制御する。制御部は、撮像部により撮影された画像から人体の部位を検知し、検知した部位から第１の使用形態か第２の使用形態かを判断し、第１の使用形態に対応する人体の部位を検知した場合、この検知した部位に基づいて接近態様を判別し、第２の使用形態に対応する人体の上半身を検知した場合、検知した上半身の傾き角度に基づいて接近態様を判別する。
【発明の効果】
【００１６】
本開示の構成によれば、次のいずれかの効果が得られる。
【００１７】
(1) 移動通信装置に対する人体の接近態様に応じてアンテナ利得の制御またはアンテナを切り替えるので、アンテナ利得が人体の接近態様に応じて最適化される。
【００１８】
(2) 移動通信装置に対する人体の接近態様が変化しても、送信特性や受信特性が損なわれることがなく、安定した通信性能を得ることが可能になる。
【００１９】
そして、本発明の他の目的、特徴および利点は、添付図面および各実施の形態を参照することにより、一層明確になるであろう。
【図面の簡単な説明】
【００２０】
【図１】第１の実施の形態に係る携帯端末装置の一例を示す図である。
【図２】携帯端末装置のアンテナ制御方法の処理手順を示すフローチャートである。
【図３】第２の実施に係る携帯端末装置の一例を示す図である。
【図４】携帯端末装置およびアンテナ配置を示す図である。
【図５】アンテナ制御機能を示す図である。
【図６】外観的特徴および外観的特徴−接近態様対比テーブルを示す図である。
【図７】接近態様−可変デバイス設定値参照テーブルを示す図である。
【図８】アップリンク信号フォーマットの一例を示す図である。
【図９】携帯端末装置のハンドポジションを示す図である。
【図１０】上半身の撮影画像を示す図である。
【図１１】上半身の撮影画像を示す図である。
【図１２】上半身の撮影画像を示す図である。
【図１３】アンテナ制御の処理手順を示すフローチャートである。
【図１４】ＵＬ送信電力制御の処理シーケンスを示す図である。
【図１５】ＵＬ送信電力の再設定の処理手順を示すフローチャートである。
【図１６】携帯端末装置のハンドポジションを示す図である。
【図１７】ハンドポジション時のアンテナ放射効率およびスミスチャートを示す図である。
【図１８】携帯端末装置のヘッドポジションおよび撮影画像を示す図である。
【図１９】ヘッドポジション時のアンテナ放射効率およびスミスチャートを示す図である。
【図２０】携帯端末装置の自由空間時およびその撮影画像を示す図である。
【図２１】自由空間時のアンテナ放射効率およびスミスチャートを示す図である。
【図２２】第３の実施の形態に係るアンテナ制御の処理手順を示すフローチャートである。
【図２３】他のアンテナ制御の処理手順を示すフローチャートである。
【図２４】第４の実施の形態に係る携帯端末装置を示す図である。
【図２５】アンテナの配置例を示す図である。
【図２６】接近態様−アンテナ選択参照テーブルを示す図である。
【図２７】第５の実施の形態に係る携帯端末装置を示す図である。
【図２８】自由空間時のアンテナの放射パターンを示す図である。
【図２９】ヘッドポジション時のアンテナの放射パターンを示す図である。
【図３０】ハンドポジション時のアンテナの放射パターンを示す図である。
【図３１】ヘッドポジション時の携帯端末装置、アンテナ放射効率およびアンテナインピーダンスを示す図である。
【図３２】自由空間時の携帯端末装置、アンテナ放射効率およびアンテナインピーダンスを示す図である。
【図３３】ハンドポジション時の携帯端末装置、アンテナ放射効率およびアンテナインピーダンスを示す図である。
【発明を実施するための形態】
【００２１】
〔第１の実施の形態〕
【００２２】
図１は、第１の実施の形態に係る携帯端末装置を示している。図１に示す構成は一例であり、本発明が係る構成に限定されるものではない。
【００２３】
この携帯端末装置２−１は、本開示の移動通信装置またはアンテナ装置の一例である。この携帯端末装置２−１には、アンテナ４、整合回路６、無線（Radio Frequency ：ＲＦ）部（以下「ＲＦ部」と称する）８、記録部１０、インカメラ（撮像部）１２および制御部１４が搭載されている。
【００２４】
アンテナ４はたとえば、モノポールアンテナであり、パッチアンテナなど、他のアンテナであってもよい。
【００２５】
アンテナ４とＲＦ部８との間には整合回路６が挿入されている。この整合回路６はアンテナ４とＲＦ部８とのインピーダンス整合（マッチング）を行う。この整合回路６には、可変デバイス（たとえば、可変キャパシタまたは可変インダクタ）１６が挿入され、キャパシタンス値またはインダクタンス値を変更することで、インピーダンスを変更する。この場合、インピーダンス整合はたとえば、キャパシタンスを一定にしてインダクタンスを可変してもよいし、インダクタンスを一定にしてキャパシタンスを可変してもよい。また、キャパシタンスおよびインダクタンスの双方を可変し、最適なインピーダンスに調整してもよい。可変デバイス１６には、制御部１４によりキャパシタンスまたはインダクタンスの最適値が設定される。これにより、アンテナ４のインピーダンスマッチングを変更し、アンテナ利得を改善する。
【００２６】
ＲＦ部８は基地局と無線信号により通信する通信部の一例であり、送信部および受信部を備える。
【００２７】
記録部１０は、人体１８の部位を示す画像情報を記録する。インカメラ１２は撮像部またはカメラの一例である。このインカメラ１２はいわゆる内向きカメラである。通常、通信していない状態では、携帯端末装置２−１はポケットや鞄などに収納される場合が多いのに対し、発呼時（電話発信時）または着呼時（電話着信時）に人体に近づけられる（つまり、手に把持される）場合が多い。この発呼時または着呼時を契機に、インカメラ１２を起動する。このインカメラ１２により、着呼時または発呼時に近づいた人体１８を撮影すれば、その撮影画像から携帯端末装置２−１の使用状態を検出することができる。
【００２８】
制御部１４は、着呼時または発呼時を契機にインカメラ１２を起動する。制御部１４ではインカメラ１２の撮影画像から人体１８の部位を検知し、この検知したことに応じて整合回路６のキャパシタンスまたはインダクタンスを制御する。この実施の形態では、制御部１４がインカメラ１２の撮影画像と記録部１０に記録されている画像情報とのパターンマッチングにより人体１８の部位を検出し、この部位に応じて人体１８と接近態様を判別する。そして、判別した接近態様に応じてキャパシタンスまたはインダクタンスの最適値を可変デバイス１６に設定する。
【００２９】
図２は、携帯端末装置のアンテナ制御方法の処理手順を示している。この処理手順は、本開示の移動通信装置のアンテナ制御方法の一例である。
【００３０】
携帯端末装置２−１にはアンテナ４が搭載され、アンテナ４には整合回路６が接続されている。この整合回路６にはキャパシタンスまたはインダクタンスが可変される可変デバイス１６が含まれている。
【００３１】
このアンテナ４の制御では、人体１８の部位を示す画像情報を記録部１０に記録する（Ｓ１１）。着呼または発呼を判断する（Ｓ１２）。着呼または発呼でなければ（Ｓ１３のＮＯ）、着呼または発呼を検出するまで待機状態となる。
【００３２】
着呼または発呼であれば（Ｓ１３のＹＥＳ）、インカメラ１２を起動する（Ｓ１４）。インカメラ１２により、人体１８を撮影する。
【００３３】
インカメラ１２により撮影された画像から人体１８の部位を検知し、この検知したことに応じて整合回路６のキャパシタンスまたはインダクタンスを制御する（Ｓ１５）。
【００３４】
係る構成では、インカメラ１２に撮影された人体１８の部位の検知に応じて整合回路６のキャパシタンスまたはインダクタンスが制御される。この実施の形態では、インカメラ１２の撮影画像を解析し、人体１８の接近態様を判別し、その態様に応じてキャパシタンスまたはインダクタンスの最適値が設定される。これにより、アンテナインピーダンスを変更することができ、人体１８の接近態様に応じたアンテナ利得を最適化できる。
【００３５】
携帯端末装置２−１に対する人体１８の接近態様が変化しても、送信特性や受信特性が損なわれることがなく、安定した通信性能が得られる。
【００３６】
また、携帯端末装置２−１の周囲状況と、その状況におけるアンテナインピーダンス及びアンテナ放射パターンの関係が把握される。そして、各状態に対して最適なインピーダンスとすることが可能であり、これによりアンテナ性能が改善される。
【００３７】
〔第２の実施の形態〕
【００３８】
図３は、第２の実施に係る携帯端末装置の一例を示している。この携帯端末装置２−２は、本開示の移動通信装置またはアンテナ装置の一例である。図３において、図１と同一部分には同一符号を付してある。
【００３９】
アンテナ４には整合回路６が接続されている。アンテナ４はたとえば、モノポールアンテナで構成される。アンテナ４は、基地局２０からの無線電波を受信し、基地局２０に対して無線電波を送信する。
【００４０】
整合回路６は、アンテナ４とＲＦ部（無線部）８とのインピーダンス整合をとる回路である。この整合回路６には可変デバイスとして可変キャパシタ２８および可変インダクタ３０が設置されている。可変キャパシタ２８はたとえば、可変コンデンサやスイッチドキャパシタなどで構成すればよい。可変インダクタ３０はたとえば、巻数を可変するコイルで構成すればよい。
【００４１】
可変キャパシタ２８および可変インダクタ３０にはキャパシタ・インダクタ制御回路３２が接続されている。このキャパシタ・インダクタ制御回路３２はディジタル・ベースバンド（Digital Baseband：ＤＢＢ）部３４の制御出力により制御される。この制御により、可変キャパシタ２８にはキャパシタンスの最適値が設定され、または可変インダクタ３０にインダクタンスの最適値が設定される。この実施の形態では、既述の制御部１４（図１）がキャパシタ・インダクタ制御回路３２およびＤＢＢ部３４のディジタル信号プロセッサや後述のプロセッサ３８を含んで構成される。
【００４２】
ＲＦ部８は、通信部の一例であり、送信部および受信部を備える。送信部では送信信号をアンテナ４に給電する。受信部ではアンテナ４からの受信信号を受信する。ＤＢＢ部３４は、ＲＦ部８で受信した無線信号から音声信号やデータ信号を復調し、または音声信号やデータ信号などの信号を変調処理により無線信号に変換する。このＤＢＢ部３４には高周波信号を処理するＤＳＰ（ディジタル信号プロセッサ）などのプロセッサが含まれる。このプロセッサでは、整合回路６の整合設定が完了した旨の通知情報を生成する。この通知情報はアンテナ４から基地局２０に送信される。携帯端末装置２−２から整合設定が完了した旨の通知を受けた基地局２０は、整合設定情報を参照し端末から基地局への上り回線（Up Link ：ＵＬ）の送信電力制御（ＴＰＣ：Transmit Power Control）により、ＵＬのＴＰＣコマンドを作成する。ＴＰＣコマンドは、ＵＬの送信電力を携帯端末装置２−２側のアンテナ４の整合設定情報に応じた適正な値に制御するための情報である。このＴＰＣコマンドを受け、携帯端末装置２−２はＵＬの送信電力を最適値に制御する。
【００４３】
このＲＦ部８にはデータ記憶部３６およびプロセッサ３８が接続されている。データ記憶部３６は既述の記録部１０の一例であり、ハードディスク装置や半導体記憶素子などの記録媒体で構成する。このデータ記憶部３６にはデータベース（ＤＢ）３７が設定されている。このＤＢ３７には人体の外観的特徴−接近態様対比テーブル７４（図６のＢ）、接近態様−可変デバイス設定値参照テーブル８０（図７）が格納されている。人体の外観的特徴−接近態様対比テーブル７４には人体の外観的特徴から接近態様を判別するためのデータが格納されている。接近態様−可変デバイス設定値参照テーブル８０には、接近態様（待ち受け状態、通話状態、データ通信状態）におけるキャパシタンスまたはインダクタンスの設定値（最適値）が格納されている。
【００４４】
プロセッサ３８は、ＯＳ（Operating System）やアプリケーションプログラムを実行する。このプロセッサ３８は、データ記憶部３６から待ち受け状態、通話状態、データ通信状態における最適値を読み出し、キャパシタ・インダクタ制御回路３２に提供する。
【００４５】
プログラム記憶部４０はたとえば、ハードディスク装置や半導体記憶素子などの記録媒体で構成される。このプログラム記憶部４０にはＯＳやアプリケーションプログラムが格納されている。ＲＡＭ（Random-Access Memory）４２はワークエリアを構成する。
【００４６】
インカメラ１２は携帯端末装置２−２を操作するユーザの人体１８を撮影する。携帯端末装置２−２には、一般に写真撮影や、ＴＶ電話による通話用の内向きカメラや、主に写真撮影に用いられる外向きカメラが搭載されている。インカメラ１２には既設の内向きカメラを用いればよい。インカメラ１２の撮像素子はＣＣＤ素子でもよいし、ＣＭＯＳ素子でもよい。
【００４７】
ＬＣＤ（Liquid Crystal Display）４４は情報提示手段の一例であり、文字情報や画像情報を表示する。このＬＣＤ４４の表示画面にはタッチパネル４６が設置されている。このタッチパネル４６は指やスタイラスペンのタッチにより、情報を入力する。このタッチパネル４６とは別にキーボードやマウスを備えて情報入力を行ってもよい。操作入力部４８は、スイッチなどの操作ボタンで構成され、電源の投入などに用いられる。
【００４８】
プロセッサ３８に接続された音声入出力部５０は、マイクロフォン５２からの音声信号を電気信号に変換し、または音声信号をスピーカ５４から音声として再生する。
【００４９】
＜携帯端末装置２−２の外観形態＞
【００５０】
この携帯端末装置２−２はたとえば、図４のＡに示すように、長方形状の偏平な筐体５６を備えている。この筐体５６の前面にはＬＣＤ４４の表示画面５８が設置されている。この表示画面５８の上面にはタッチパネル４６が設置されている。
【００５１】
アンテナ４は、図４のＢに示すように、筐体５６の長手方向の下辺側に設置される。回路基板５９にはアンテナ４に隣接して整合回路６が設置されている。
【００５２】
＜アンテナ制御機能＞
【００５３】
図５は、携帯端末装置２−２で実行される機能を示している。この機能は既述のＤＢＢ部３４のプロセッサまたはプロセッサ３８で実行されるアンテナ制御機能６０である。
【００５４】
このアンテナ制御機能６０には人体部位記録機能６２、カメラ起動機能６４、画像認識機能６６、キャパシタ・インダクタ最適値設定機能６８や通知機能７０が含まれる。
【００５５】
人体部位記録機能６２は、人体１８の部位を記録する。部位には手、耳、目、頭部などの人体１８の部分的な人体パターン（図６）が含まれる。
【００５６】
カメラ起動機能６４は、着呼または発呼の判断を行い、着呼または発呼の場合にインカメラ１２を起動する。
【００５７】
画像認識機能６６は、インカメラ１２の撮影画像とデータ記憶部３６にある人体部位の記録画像とを比較して人体部位を識別し、人体１８の接近態様を判別する。
【００５８】
キャパシタ・インダクタ最適値設定機能６８は、人体１８の接近態様からキャパシタンスまたはインダクタンスの最適値を求め、可変キャパシタ２８に最適値を設定し、または可変インダクタ３０に最適値を設定する。
【００５９】
通知機能７０は、既述の最適値の設定により、整合回路６の整合が完了した旨の情報を基地局２０に通知する。
【００６０】
＜人体１８の外観的特徴（人体パターン）＞
【００６１】
図６のＡは、人体１８の外観的特徴（人体パターン）を示している。この外観的特徴７２には、上半身画像および頭部画像が含まれている。上半身画像には傾斜角度θが、０〔°〕≦θ＜４５〔°〕の画像情報、傾斜角度θが、４５〔°〕≦θ＜１３５〔°〕の画像情報、傾斜角度θが、１３５〔°〕≦θ＜２２５〔°〕の画像情報、傾斜角度θが、２２５〔°〕≦θ＜３１５〔°〕の画像情報、傾斜角度θが、３１５〔°〕≦θ＜３６０〔°〕の画像情報が含まれている。頭部画像には耳、髪、頬を表す画像情報が含まれる。
【００６２】
＜人体１８の外観的特徴−接近態様対比テーブル＞
【００６３】
図６のＢは、人体１８の外観的特徴−接近態様対比テーブル７４を示している。この外観的特徴−接近態様対比テーブル７４には、外観的特徴から判断される接近態様を表す情報が格納されている。
【００６４】
このテーブル７４には画像情報格納部７６と接近態様格納部７８が設定されている。画像情報格納部７６には上半身の傾斜角度θが、０〔°〕≦θ＜４５〔°〕、傾斜角度θが、４５〔°〕≦θ＜１３５〔°〕、傾斜角度θが１３５〔°〕≦θ＜２２５〔°〕、傾斜角度θが、２２５〔°〕≦θ＜３１５〔°〕、傾斜角度θが、３１５〔°〕≦θ＜３６０〔°〕の画像が格納されている。頭部の耳、髪、頬を表す画像のほか、他の情報として「該当なし」を表す情報が格納されている。
【００６５】
接近態様格納部７８にはハンドポジション、ヘッドポジションまたは自由空間を表す情報が格納されている。
【００６６】
このテーブル７４から明らかなように、上半身の傾斜角度θが、０〔°〕≦θ＜４５〔°〕では、ハンドポジションであり、縦持ち状態であることを示している。傾斜角度θが４５〔°〕≦θ＜１３５〔°〕では、ハンドポジションであり、横持ち状態であることを示している。傾斜角度θが、１３５〔°〕≦θ＜２２５〔°〕では、ハンドポジションであり、縦持ち状態であることを示している。傾斜角度θが、２２５〔°〕≦θ＜３１５〔°〕では、ハンドポジションであり、横持ち状態であることを示している。傾斜角度θが、３１５〔°〕≦θ＜３６０〔°〕では、ハンドポジションであり、縦持ち状態であることを示している。
【００６７】
耳、髪または頬のいずれもヘッドポジションであることを示している。また、「該当なし」では、自由空間であることを示している。
【００６８】
＜接近態様−可変デバイス設定値参照テーブル＞
【００６９】
図７は、接近態様−可変デバイス設定値参照テーブル８０を示している。この接近態様−可変デバイス設定値参照テーブル８０では、接近態様に応じて可変デバイス１６に設定すべきキャパシタンス設定値またはインダクタンス設定値が格納されている。
【００７０】
この参照テーブル８０には、接近態様格納部８２、キャパシタンス設定値格納部８４およびインダクタンス設定値格納部８６が設定されている。接近態様格納部８２には接近態様としてハンドポジション（縦持ち）、ハンドポジション（横持ち）、ヘッドポジションおよび自由空間を表す情報が格納されている。各情報に対し、キャパシタンス設定値格納部８４にはキャパシタンス値（ｐＦ）が格納されている。各情報に対し、インダクタンス設定値格納部８６にはインダクタンス値（ｎＨ）が格納されている。キャパシタンス値およびインダクタンス値は一例であり、係る値に限定されるものではない。
【００７１】
＜アップリンク信号フォーマット＞
【００７２】
図８は、アップリンク信号フォーマットの一例を示している。このアップリンク信号８８は、携帯端末装置２−２から基地局２０に対して送信される。このアップリンク信号８８には先頭部分からヘッダ部９０、情報部９２および設定状態通知情報部９４が設定されている。ヘッダ部９０はアップリンク信号８８を特定するための識別情報などで構成される。情報部９２は基地局２０に対する各種情報で構成される。設定状態通知情報部９４は、携帯端末装置２−２のアンテナ４の整合に関する通知情報で構成されている。設定状態通知情報部９４を構成する設定状態通知情報は、たとえば、２ビットのデジタルデータである。一例としてのデータ編成は、“００”：未設定、“０１”：設定中、“１０”：設定失敗、“１１”：設定完了を表す。
【００７３】
＜人体（携帯端末装置）のポジション＞
【００７４】
図９のＡは、ユーザが携帯端末装置２−２を縦方向に把持した場合である。このハンドポジションでは、携帯端末装置２−２が縦持ちとなる。この場合、縦持ち状態でインカメラ１２にはユーザの上半身が撮影される。ユーザの上半身画像が表示画面５８に表示され、データ記憶部３６に記録される。
【００７５】
図９のＢは、ユーザが携帯端末装置２−２を横方向に把持した場合である。このハンドポジションでは、携帯端末装置２−２が横持ちとなる。この場合、横持ち状態でインカメラ１２にはユーザの上半身が撮影される。ユーザの上半身画像が表示画面５８に表示され、データ記憶部３６に記録される。
【００７６】
＜傾き角度θの検出＞
【００７７】
図１０のＡは、上半身の傾き角度θ＝０〔°〕の場合を示している。この場合、携帯端末装置２−２の縦方向に基軸９６−１、横方向に基軸９６−２をとり、基軸９６−１の角度θ＝０〔°〕、基軸９６−２の角度θ＝９０〔°〕としている。この場合、表示画面５８に表示された上半身９８の頭部が基軸９６−１方向にあり、中心軸１００が基軸９６−１と平行である。つまり、撮影画像は上半身９８の傾き角度θ＝０〔°〕の上半身画像となる。
【００７８】
図１０のＢは、上半身の傾き角度θ＝９０〔°〕の場合を示している。この場合、表示画面５８に表示された上半身９８の頭部が基軸９６−２方向にあり、中心軸１００が基軸９６−２と平行である。つまり、撮影画像は上半身９８の傾き角度θ＝９０〔°〕の上半身画像となる。
【００７９】
図１１のＡは、上半身の傾き角度θ＝１８０〔°〕の場合を示している。この場合、表示画面５８に表示された上半身９８の頭部が基軸９６−１と反対方向にあり、中心軸１００が基軸９６−２と直交している。つまり、撮影画像は上半身９８の傾斜角度θ＝１８０〔°〕の上半身画像となる。
【００８０】
図１１のＢは、上半身の傾き角度θ＝２７０〔°〕の場合を示している。この場合、表示画面５８に表示された上半身９８の頭部が基軸９６−２と反対方向にあり、中心軸１００が基軸９６−１と直交している。つまり、撮影画像は上半身９８の傾き角度θ＝２７０〔°〕の上半身画像となる。
【００８１】
図１２は、上半身の撮影画像と傾きの関係を合成して示している。このように上半身９８の撮影画像により上半身９８の傾きを判別することができる。縦持ちの場合、上半身９８の傾斜角度θはおおよそ０〔°〕または１８０〔°〕となる。また、横持ちの場合には、上半身９８の傾斜角度θはおおよそ９０〔°〕または２７０〔°〕となる。このような傾斜角度の関係から携帯端末装置２−２の傾斜角度（使用状態）を判別できる。
【００８２】
＜アンテナ制御の処理手順＞
【００８３】
図１３は、アンテナ制御の処理手順を示している。この処理手順は、本開示のアンテナ制御方法の一例である。
【００８４】
この処理手順では、待機状態から着呼または発呼の判断を行う（Ｓ１０１）。発呼または着呼でなければ（Ｓ１０２のＮＯ）、待機状態を維持する。
【００８５】
発呼または着呼であれば（Ｓ１０２のＹＥＳ）、インカメラ１２を起動し（Ｓ１０３）、撮像する（Ｓ１０４）。取得した画像を解析し（Ｓ１０５）、画像により上半身を検出したかを判断する（Ｓ１０６）。
【００８６】
上半身を検出していれば（Ｓ１０６のＹＥＳ）、上半身の傾斜角度θが、０〔°〕≦θ＜４５〔°〕、または１３５〔°〕≦θ＜２２５〔°〕、または３１５〔°〕≦θ＜３６０〔°〕であるかを判断する（Ｓ１０７）。
【００８７】
上半身の傾斜角度θが、０〔°〕≦θ＜４５〔°〕、または１３５〔°〕≦θ＜２２５〔°〕、または３１５〔°〕≦θ＜３６０〔°〕であれば（Ｓ１０７のＹＥＳ）、ハンドポジション（縦持ち）と判断する（Ｓ１０８）。この場合、ハンドポジション（縦持ち）用パラメータを設定する（Ｓ１０９）。インカメラ１２の電源をＯＦＦし（Ｓ１１０）、所定時間の待機たとえば、１５〔秒〕だけ待機し（Ｓ１１１）、呼切断かを判断する（Ｓ１１２）。呼切断であれば（Ｓ１１２のＹＥＳ）、処理を終了する。
【００８８】
呼切断でなければ（Ｓ１１２のＮＯ）、Ｓ１０３に移行し、Ｓ１０３ないしＳ１０６の処理の後、Ｓ１０７の処理を実行する。
【００８９】
上半身の傾斜角度θが、０〔°〕≦θ＜４５〔°〕、または１３５〔°〕≦θ＜２２５〔°〕、または３１５〔°〕≦θ＜３６０〔°〕でなければ（Ｓ１０７のＮＯ）、ハンドポジション（横持ち）と判断する（Ｓ１１３）。この場合、ハンドポジション（横持ち）用パラメータを設定する（Ｓ１１４）。インカメラ１２の電源をＯＦＦし（Ｓ１１５）、所定時間の待機たとえば、１５〔秒〕だけ待機し（Ｓ１１１）、呼切断かを判断する（Ｓ１１２）。呼切断であれば（Ｓ１１２のＹＥＳ）、処理を終了する。
【００９０】
上半身を検出していなければ（Ｓ１０６のＮＯ）、人体の耳または髪または頬を検出したかを判断する（Ｓ１１６）。人体の耳または髪または頬を検出していれば（Ｓ１１６のＹＥＳ）、ヘッドポジションと判断する（Ｓ１１７）。この場合、ヘッドポジション用パラメータを設定する（Ｓ１１８）。インカメラ１２の電源をＯＦＦし（Ｓ１１９）、所定時間の待機たとえば、１５〔秒〕だけ待機し（Ｓ１１１）、呼切断かを判断する（Ｓ１１２）。呼切断であれば（Ｓ１１２のＹＥＳ）、処理を終了する。
【００９１】
人体の耳または髪または頬を検出していなければ（Ｓ１１６のＮＯ）、自由空間と判断する（Ｓ１２０）。この場合、自由空間用パラメータを設定する（Ｓ１２１）。インカメラ１２の電源をＯＦＦし（Ｓ１２２）、所定時間の待機たとえば、１５〔秒〕だけ待機し（Ｓ１１１）、呼切断かを判断する（Ｓ１１２）。呼切断であれば（Ｓ１１２のＹＥＳ）、処理を終了する。
【００９２】
このように、撮影画像が上半身であれば、その傾き角度により接近態様としてハンドポジションを判定する。その接近態様（縦持ちか横持ちか）に応じてキャパシタンス設定値またはインダクタンス設定値（接近態様−可変デバイス設定値参照テーブル８０：図７）が選択される。
【００９３】
また、撮影画像が上半身でなければ、接近態様としてヘッドポジションまたは自由空間を判定する。その接近態様に応じてキャパシタンス設定値またはインダクタンス設定値（接近態様−可変デバイス設定値参照テーブル８０：図７）が選択される。
【００９４】
＜ＵＬ送信電力制御＞
【００９５】
図１４は、ＵＬ送信電力制御のシーケンスの一例を示している。このＵＬ送信電力制御は、携帯端末装置２−２側のアンテナ４の整合設定の通知を受け、基地局２０からの指示により携帯端末装置２−２がＵＬ送信電力を設定する。
【００９６】
この処理手順では、携帯端末装置２−２で既述の接近態様の判別（図１３のＳ１０８、Ｓ１１３、Ｓ１１７、Ｓ１２０）が実行され（Ｓ２０１）、この接近態様においてパラメータ設定（図１３のＳ１０９、Ｓ１１４、Ｓ１１８、Ｓ１２１）が実行される（Ｓ２０２）。パラメータ設定は、可変キャパシタ２８に対するキャパシタンスの適正値、または可変インダクタ３０に対するインダクタンスの適正値の設定である。
【００９７】
このパラメータ設定が完了すると、携帯端末装置２−２からパラメータ設定の完了通知が基地局２０に対して発せられる（Ｓ２０３）。また、携帯端末装置２−２からパイロット信号（または参照信号(ＲＳ：Reference Signal)）の送信が行われる（Ｓ２０４）。
【００９８】
基地局２０は、パラメータ設定完了通知およびバイロット信号を受け、ＳＩＲ（Signal to Interference Ratio ：信号対干渉比）を算出し（Ｓ２０５）、ＵＬ送信電力制御（ＴＰＣ）を実行する（Ｓ２０６）。このＵＬ送信電力制御ではＴＰＣコマンドが作成される。このＴＰＣコマンドは既述のとおり、ＵＬの送信電力を携帯端末装置２−２側のアンテナ４のパラメータ設定に応じた適正な送信電力に制御するための制御情報である。基地局２０は、ＴＰＣコマンドを携帯端末装置２−２に送信し（Ｓ２０７）、処理を終了する。
【００９９】
ＴＰＣコマンドが与えられた携帯端末装置２−２はＵＬ送信電力設定を実行し（Ｓ２０８）、処理を終了する。
【０１００】
図１５は、基地局２０のＵＬ送信電力の再設定の処理手順を示している。
【０１０１】
携帯端末装置２−２では、アンテナ４のインピーダンス設定（アンテナ制御）が完了したか否かを判断し（Ｓ３０１）、アンテナ制御が完了すれば（Ｓ３０２のＹＥＳ）、設定完了通知が基地局２０に送信される（Ｓ３０３）。つまり、アンテナ４のインピーダンス制御が終了し、アンテナ指向性が最適となった場合、基地局２０に対してアンテナ制御の完了を通知する。
【０１０２】
この通知を受けた基地局２０は、上り送信電力制御により、送信電力の再設定処理を実行し、これにより、携帯端末装置２−２ではＵＬ送信電力を再設定する（Ｓ３０４）。ＵＬ送信電力の再設定処理は、既述の処理シーケンス（図１４）のＳ２０６、Ｓ２０７、Ｓ２０８の処理である。
【０１０３】
この上り送信電力制御について、携帯端末装置２−２の送信電力による他の端末へ与える干渉を抑えるため、基地局２０が携帯端末装置２−２に対して送信電力制御を実施する。具体的には、たとえば、携帯端末装置２−２から送信されたパイロット信号のＳＩＲを測定し、所望のＳＩＲとなるように携帯端末装置２−２の上り送信電力の変更を携帯端末装置２−２に通知する。この送信電力の変更通知信号が既述のＴＰＣコマンドである。
【０１０４】
インピーダンスマッチングが最適でない場合を考える。このとき、アンテナ４からの送信電力は、携帯端末装置２−２が基地局２０から通知されたＴＰＣコマンドを基に算出した送信電力よりも、インピーダンスのミスマッチによって生じる損失分小さい電力となっている。よって、基地局２０が意図したＳＩＲとはならず、基地局２０は再度ＴＰＣコマンドを端末に送信する。すなわち、インピーダンスのミスマッチによって、基地局２０と携帯端末装置２−２で実施される送信電力制御の精度が劣化する。アンテナ４の指向性を制御することで、上り送信電力が制御前と比較し低くできる。つまり、上り送信電力制御をやり直すことで、より精度の良い送信電力制御が可能となる。
【０１０５】
この送信電力制御により、アンテナ制御に応じた適正なＵＬ送信電力が設定され、過剰なＵＬ送信電力の抑制、過剰な電力による送信電波の干渉、通信品質の低下を防止でき、通信システムの通信性能が高められる。
【０１０６】
＜接近態様の判別−インピーダンス整合＞
【０１０７】
(1) ハンドポジション時（データ通信時）
【０１０８】
図１６のＡに示すように、ハンドポジションでは、携帯端末装置２−２がユーザの手２６により維持される。ユーザは携帯端末装置２−２の表示画面５８を目視するので、インカメラ１２によりユーザの人体１８の上半身が撮影される。この場合、図１６のＢに示す上半身画像１０２が得られる。この上半身画像１０２を用いて外観的特徴−接近態様対比テーブル７４から接近態様がハンドポジションであること、携帯端末装置２−２が縦持ちであることが判別される。つまり、データ通信時と判断される。この接近態様に基づき、接近態様−可変デバイス設定値参照テーブル８０からキャパシタンス設定値（この場合、２〔ｐＦ〕）、インダクタンス設定値（この場合、０．５〔ｎＨ〕）が設定される。
【０１０９】
この場合、アンテナ放射効率は、図１７のＡに示すように、設定前の特性η１から設定後の特性η２にシフトする。接近態様に応じたキャパシタンスおよびインダクタンスの最適値の設定で、アンテナ放射効率が改善される。つまり、通信周波数ｆｏでアンテナ放射効率が最も高くなる。
【０１１０】
アンテナインピーダンスは図１７のＢに示すスミスチャートのように、ｇ１（設定前）からｇ２（設定後）にシフトする。接近態様に応じたキャパシタンスおよびインダクタンスの最適値の設定で、インピーダンス値が改善され、特性インピーダンスである５０〔Ω〕に近づけることができる。
【０１１１】
(2) ヘッドポジション時（通話時）
【０１１２】
図１８のＡに示すように、ヘッドポジションでは、携帯端末装置２−２がユーザの手２６により維持されて耳に当てられている。この場合、インカメラ１２によりユーザの人体１８の頬や髪が撮影される。この場合、図１８のＢに示す頭部画像１０４や、図１８のＣに示す耳画像１０６が得られる。これら頭部画像１０４や耳画像１０６を用いて外観的特徴−接近態様対比テーブル７４から接近態様がヘッドポジションであることが判別される。つまり、通話時と判断される。この接近態様に基づき、接近態様−可変デバイス設定値参照テーブル８０からキャパシタンス設定値（この場合、０．５〔ｐＦ〕）、インダクタンス設定値（この場合、０．５〔ｎＨ〕）が設定される。
【０１１３】
この場合、アンテナ放射効率は、図１９のＡに示すように、接近態様に応じたキャパシタンスおよびインダクタンスの最適値の設定で、アンテナ放射効率が改善される。つまり、通信周波数ｆｏでアンテナ放射効率が最も高くなる。
【０１１４】
アンテナインピーダンスは図１９のＢに示すスミスチャートのように、接近態様に応じたキャパシタンスおよびインダクタンスの最適値が設定され、インピーダンス値が改善され、既述の５０〔Ω〕に近づけることができる。
【０１１５】
(3) 自由空間時
【０１１６】
図２０のＡに示すように、自由空間では、携帯端末装置２−２がテーブル１０８に放置されている。この場合、インカメラ１２には図２０のＢに示すように、既述の上半身や頭部などの画像がなく、無画像１１０となる。この無画像１１０を用いて外観的特徴−接近態様対比テーブル７４から接近態様が自由空間であることが判別される。つまり、待ち受け時と判断される。この接近態様に基づき、接近態様−可変デバイス設定値参照テーブル８０からキャパシタンス設定値（この場合、０．５〔ｐＦ〕）、インダクタンス設定値（この場合、２〔ｎＨ〕）が設定される。
【０１１７】
この場合、アンテナ放射効率は、図２１のＡに示すように、設定前の特性η１から設定後の特性η２にシフトする。接近態様に応じたキャパシタンスおよびインダクタンスの最適値の設定で、アンテナ放射効率が改善される。つまり、通信周波数ｆｏでアンテナ放射効率が最も高くなる。
【０１１８】
アンテナインピーダンスは図２１のＢに示すスミスチャートのように、ｇ１（設定前）からｇ２（設定後）にシフトする。接近態様に応じたキャパシタンスおよびインダクタンスの最適値の設定で、インピーダンス値が改善され、５０〔Ω〕に近づけることができる。
【０１１９】
＜可変デバイス１６のキャパシタンス値またはインダクタンス値の最適化＞
【０１２０】
携帯端末装置２の使用状態に応じて、可変デバイス１６のキャパシタンス値またはインダクタンス値を最適化するには、たとえば、ＣＴＩＡ＿Ｔest Plan for Mobile Station ＯＴＡ Perfomanceで規定されている方法を利用すればよい。人体模型を用いることにより、待ち受け状態、通話状態、データ通信状態を再現する環境を設定する。この環境において、ネットワークアナライザによりアンテナインピーダンスを測定すればよい。可変デバイス１６のキャパシタンス値またはインダクタンス値を増減させてアンテナインピーダンスを測定する。アンテナインピーダンスが既述の５０〔Ω〕に最も近いキャパシタンス値またはインダクタンス値を決定する。これにより、待ち受け状態、通話状態、データ通信状態の各状態にて最適なキャパシタンス値またはインダクタンス値を決定する。決定したキャパシタンス値またはインダクタンス値はデータ記録部３６に格納する。そして、インカメラ１２の撮影画像の解析により、接近状態に応じたキャパシタンス値またはインダクタンス値をデータ記録部３６から読み出し、その値を可変デバイス１６に設定すればよい。
【０１２１】
＜上半身、耳、髪、頬などによる接近態様の判別＞
【０１２２】
人体１８の一般的な上半身、耳、髪、頬などの画像を事前にデータ記憶部３６に登録しておく。インカメラ１２により使用者の上半身、耳、髪、頬などを撮像する。撮影画像と登録画像とのパターンマッチングを行う。上半身であるか、耳を含んでいるか、髪を含んでいるか、頬であるかなどを検出する。この検出に基づき、その大きさや傾斜角度からインカメラ１２と人体１８とが離れているか、近づいているかなどの接近態様を判別する。
【０１２３】
＜第２の実施の形態の効果＞
【０１２４】
既述の第２の実施の形態によれば、次のような効果が得られる。
【０１２５】
(1) インカメラ１２を利用し、待ち受け状態、通話状態、データ通信状態の各状態を判別して、携帯端末装置２−２の使用状態に応じてアンテナインピーダンスのマッチングを高精度に行うことが可能である。
【０１２６】
(2) これにより、アンテナ放射効率やアンテナ利得を改善することが可能となる。
【０１２７】
(3) ＳＡＲ（Specific Absorption Rate）基準を満たすことが可能となる。
【０１２８】
〔第３の実施の形態〕
【０１２９】
図２２は、第３の実施の形態に係るアンテナ制御の処理手順を示している。この処理手順は、本開示のアンテナ制御方法の一例である。この処理手順では、既述の携帯端末装置２−１、２−２を使用すればよい。
【０１３０】
この処理手順において、待機状態から着呼または発呼の判断（Ｓ４０１、Ｓ４０２）、インカメラ１２の起動（Ｓ４０３）、撮像（Ｓ４０４）、画像解析（Ｓ４０５）の処理は第２の実施の形態と同様である。
【０１３１】
画像解析により、人体の上半身、手指を検出したかを判断する（Ｓ４０６）。人体の上半身、手指を検出すれば（Ｓ４０６のＹＥＳ）、データ通信状態と判断し（Ｓ４０７）、データ通信用パラメータ設定が実行される（Ｓ４０８）。
【０１３２】
人体の上半身、手指を検出していなければ（Ｓ４０６のＮＯ）、人体の耳または目または頬を検出したかを判断する（Ｓ４０９）。人体の耳または目または頬を検出していれば（Ｓ４０９のＹＥＳ）、通話状態と判断し（Ｓ４１０）、通話用パラメータ設定が実行される（Ｓ４１１）。
【０１３３】
人体の耳または目または頬を検出していなければ（Ｓ４０９のＮＯ）、待ち受け状態と判断し（Ｓ４１２）、待ち受け用パラメータ設定が実行される（Ｓ４１３）。
【０１３４】
このように、接近態様の判定に手指や目の有無を用いてもよい。
【０１３５】
また、図２３は、他のアンテナ制御の処理手順を示している。この処理手順は、本開示のアンテナ制御方法の一例である。この処理手順では、既述の携帯端末装置２−１、２−２を使用すればよい。
【０１３６】
この処理手順において、待機状態から着呼または発呼の判断（Ｓ５０１、Ｓ５０２）、インカメラ１２の起動（Ｓ５０３）、撮像（Ｓ５０４）、画像解析（Ｓ５０５）の処理は第２の実施の形態と同様である。
【０１３７】
画像解析により、人体の上半身、手指または目を検出したかを判断する（Ｓ５０６）。人体の上半身、手指または目を検出すれば（Ｓ５０６のＹＥＳ）、上半身の傾斜角度が一定角度たとえば、３０〔°〕以上かを判断する（Ｓ５０７）。上半身の傾斜角度が一定角度たとえば、３０〔°〕以上であれば（Ｓ５０７のＹＥＳ）、データ通信状態で横持ちと判断し（Ｓ５０８）、データ通信用パラメータ設定が実行される（Ｓ５０９）。
【０１３８】
上半身の傾斜角度が一定角度たとえば、３０〔°〕未満であれば（Ｓ５０７のＮＯ）、データ通信状態で縦持ちと判断し（Ｓ５１０）、待ち受け用パラメータ設定を実行する（Ｓ５１１）。
【０１３９】
人体の上半身、手指または目を検出していなければ（Ｓ５０６のＮＯ）、人体の耳または髪または頬を検出したかを判断する（Ｓ５１２）。人体の耳または髪または頬を検出していれば（Ｓ５１２のＹＥＳ）、通話状態と判断し（Ｓ５１３）、通話用パラメータ設定が実行される（Ｓ５１４）。
【０１４０】
人体の耳または髪または頬を検出していなければ（Ｓ５１２のＮＯ）、待ち受け状態と判断し（Ｓ５１５）、待ち受け用パラメータ設定が実行される（Ｓ５１６）。
【０１４１】
このように、接近態様の判定に手指や目の有無を用いることや、上半身の傾斜角度θとして３０〔°〕などの一定角度を判断要素に加味してもよい。
【０１４２】
〔第４の実施の形態〕
【０１４３】
図２４は、第４の実施の形態に係る携帯端末装置を示している。この携帯端末装置２−４では、複数のアンテナ４−１、４−２、４−３、４−４からひとつのアンテナ４Ｘを切替えスイッチ１１２で選択可能に構成している。アンテナ４−１、４−２、４−３、４−４のアンテナインピーダンスなどの電気的特性は同一でもよいし異なってもよい。切替えスイッチ１１２の切替えはスイッチ制御部１１４で行う。
【０１４４】
各アンテナ４−１、４−２、４−３、４−４とＲＦ部８との間には整合回路１１６が設置されている。この整合回路１１６は、各アンテナ４−１、４−２、４−３、４−４とＲＦ部８とを整合させるキャパシタンス値、インダクタンス値が設定されている。
【０１４５】
スイッチ制御部１１４は、データ記憶部３６のＤＢ３７にある接近態様−アンテナ選択参照テーブル１１８（図２６）を参照し、接近態様に応じて最適なアンテナを選択する。
【０１４６】
その他の構成は第２の実施の形態と同様であるので、同一符号を付し、その説明を割愛する。
【０１４７】
図２５は、アンテナ４−１、４−２、４−３、４−４の配置例を示している。
【０１４８】
携帯端末装置２−４には、第２の実施の形態と同様の筐体５６が用いられている。筐体５６の中央にはＬＣＤ４４の表示画面５８が配置されている。この表示画面５８の周囲の短辺側にはアンテナ４−１、４−３、長辺側にはアンテナ４−２、４−４が配置されている。
【０１４９】
図２６は、接近態様−アンテナ選択参照テーブル１１８を示している。
【０１５０】
この接近態様−アンテナ選択参照テーブル１１８には、接近態様格納部１２０および選択アンテナ情報格納部１２２が設定されている。接近態様格納部１２０には、既述のハンドポジション（縦持ち）、ハンドポジション（横持ち）、ヘッドポジション、自由空間を表す情報が格納される。
【０１５１】
選択アンテナ情報格納部１２２には、接近態様に応じて選択すべきアンテナの識別情報が格納されている。この実施の形態では、アンテナＡ、Ｂ、Ｃ、Ｄが格納されている。つまり、ハンドポジション（縦持ち）ではアンテナＡが選択され、ハンドポジション（横持ち）ではアンテナＢが選択される。ヘッドポジションではアンテナＣが選択され、自由空間ではアンテナＤが選択される。
【０１５２】
このように、アンテナ４−１、４−２、４−３、４−４から接近態様に応じて異なるアンテナ４Ｘを選択すれば、接近態様に応じた最適なアンテナ、アンテナインピーダンスおよびアンテナ利得を設定することができる。
【０１５３】
そして、このような設定が完了した旨の通知を基地局２０に対して行う。基地局２０の送信電力制御により、アンテナ制御に応じた適正なＵＬ送信電力が設定される。これにより、過剰なＵＬ送信電力の抑制、過剰な電力による他の送信電波への与干渉の抑制、通信品質の低下を防止でき、通信システムの通信性能が高められることは第２の実施の形態と同様である。
【０１５４】
〔第５の実施の形態〕
【０１５５】
図２７は、第５の実施の形態に係る携帯端末装置２−５を示している。図２７において、図２０、図２４、図２５と同一部分には同一符号を付してある。
【０１５６】
この携帯端末装置２−５では、既述のアンテナ４−１、４−２、４−３、４−４からアンテナ４−１、４−２を筐体５６に配置し、接近態様に応じてアンテナ４−１、４−２からいずれかを選択する。
【０１５７】
斯かる構成では、図２８に示すように、携帯端末装置２−５がテーブル１０８上に放置された場合（つまり、自由空間）では、選択されたアンテナ４−１、４−２のいずれかによって放射パターン１２４が生成される。
【０１５８】
ヘッドポジションでは、図２９に示すように、選択されたアンテナ４−１、４−２のいずれかによって放射パターン１２４が生成される。この場合、放射された電波が人体１８に吸収されるので、人体方向への指向性が少なくなるアンテナ４−１、４−２のいずれかを選択すればよい。
【０１５９】
ハンドポジションでは、図３０に示すように、選択されたアンテナ４−１、４−２のいずれかによって放射パターン１２４が生成される。この場合も同様に、放射された電波が人体１８に吸収されるので、人体方向への指向性が少なくなるアンテナ４−１、４−２のいずれかを選択すればよい。
【０１６０】
このように、アンテナ４−１、４−２から接近態様つまり、人体方向への指向性が少なくなるアンテナ４Ｘ（４−１または４−２）を選択すれば、接近態様に応じた最適なアンテナ、アンテナインピーダンスおよびアンテナ利得を設定することができる。
【０１６１】
そして、この場合も、アンテナ利得の設定が完了した旨の通知を基地局２０に対して行う。基地局２０の送信電力制御により、アンテナ制御に応じた適正なＵＬ送信電力が設定される。これにより、過剰なＵＬ送信電力の抑制、過剰な電力による送信電波の干渉、通信品質の低下を防止でき、通信システムの通信性能が高められることは第２および第３の実施の形態と同様である。
【０１６２】
〔他の実施の形態〕
【０１６３】
(a) 撮影画像の解析によるパラメータ設定の後、一定の時間（Ｔ１）継続的に検出した場合、状態の変化がないと判断し、インカメラ１２の電源をオフするようにしてもよい。
【０１６４】
(b) 発呼または着呼後、時間（Ｔ２）を経過しても、撮影画像から少なくとも耳の一部を検出しなかった場合や、着呼があったが通話しなかった場合、または携帯電話を用いて他の装置（たとえば、ＰＣ）と通信している場合には、インカメラ１２の電源をオフしてもよい。
【０１６５】
(c) 上記実施の形態では、ＵＬ送信電力制御を例示したが、携帯端末装置２からの設定完了通知を受けた基地局２０が、基地局２０から携帯端末装置２に向かうＤＬ（下り回線）の電力制御を行う構成としてもよい。
【０１６６】
(d) 上記実施の形態では、人体１８の上半身などの部位を撮影するカメラとしてインカメラ１２を例示したが、これに限定されない。既設のインカメラとは別の人体などを撮像するものであってもよい。
【０１６７】
(e) 上記実施の形態の図２３に示すフローチャートにおいて、Ｓ５１１では待ち受け要パラメータ設定としているが、Ｓ５０９と同様にデータ通信用パラメータ設定としてもよい。
【０１６８】
(f) 上記実施の形態では、移動体通信装置の一例として携帯端末装置を例示したが、タブレット端末、スマートフォン、カメラ、電子ゲーム機などの通信機能を備える電子機器であればよい。
【０１６９】
以上説明したように、本開示の構成の最も好ましい実施の形態等について説明した。本開示の構成は上記記載に限定されるものではない。特許請求の範囲に記載され、または発明を実施するための形態に開示された構成の要旨に基づき、当業者において様々な変形や変更が可能である。斯かる変形や変更が、本発明の範囲に含まれることは言うまでもない。
【符号の説明】
【０１７０】
２、２−１、２−２、２−４、２−５  携帯端末装置
４、４−１、４−２、４−３、４−４  アンテナ
６  整合回路
８  ＲＦ部
１０  記録部
１２  インカメラ
１４  制御部
１６  可変デバイス
１８  人体
２０  基地局
２６  手
２８  可変キャパシタ
３０  可変インダクタ
３２  キャパシタ・インダクタ制御回路
３４  ＤＢＢ部
３６  データ記憶部
３７  ＤＢ
３８  プロセッサ
４０  プログラム記憶部
４４  ＬＣＤ
５６  筐体
５８  表示画面
５９  回路基板
６０  アンテナ制御機能
６２  人体部位記録機能
６４  カメラ起動機能
６６  画像認識機能
６８  キャパシタ・インダクタ最適値設定機能
７０  通知機能
７２  外観的特徴
７４  外観的特徴−接近態様対比テーブル
７６  画像情報格納部
７８  接近態様格納部
８０  接近態様−可変デバイス設定値参照テーブル
８２  接近態様格納部
８４  キャパシタンス設定値格納部
８６  インダクタンス設定値格納部
９４  設定状態通知情報部
９６−１、９６−２  基軸
９８  上半身
１００  中心軸
１０２  上半身画像
１０４  頭部画像
１０６  耳画像
１０８  テーブル
１１０  無画像
１１２  切替えスイッチ
１１４  スイッチ制御部
１１６  整合回路
１１８  接近態様−アンテナ選択参照テーブル
１２０  接近態様格納部
１２２  選択アンテナ情報格納部
１２４  放射パターン
【図１】
0005974613.tif 000002
【図２】
0005974613.tif 000003
【図３】
0005974613.tif 000004
【図４】
0005974613.tif 000005
【図５】
0005974613.tif 000006
【図６】
0005974613.tif 000007
【図７】
0005974613.tif 000008
【図８】
0005974613.tif 000009
【図９】
0005974613.tif 000010
【図１０】
0005974613.tif 000011
【図１１】
0005974613.tif 000012
【図１２】
0005974613.tif 000013
【図１３】
0005974613.tif 000014
【図１４】
0005974613.tif 000015
【図１５】
0005974613.tif 000016
【図１６】
0005974613.tif 000017
【図１７】
0005974613.tif 000018
【図１８】
0005974613.tif 000019
【図１９】
0005974613.tif 000020
【図２０】
0005974613.tif 000021
【図２１】
0005974613.tif 000022
【図２２】
0005974613.tif 000023
【図２３】
0005974613.tif 000024
【図２４】
0005974613.tif 000025
【図２５】
0005974613.tif 000026
【図２６】
0005974613.tif 000027
【図２７】
0005974613.tif 000028
【図２８】
0005974613.tif 000029
【図２９】
0005974613.tif 000030
【図３０】
0005974613.tif 000031
【図３１】
0005974613.tif 000032
【図３２】
0005974613.tif 000033
【図３３】
0005974613.tif 000034